(57)【要約】      （修正有）【課題】本体枠が一方向にしか動かなかったよじ登りおもちゃにおいて、本体枠が両方向に動くよじ登りおもちゃを提供する。【解決手段】一の部分に設けられた２つの穴５と、前記一の部分に向かい合う他の部分に設けられた２つの穴５を有する本体枠４と、対のロープ３とを有し、前記対のロープを互い違いにロープの張架方向に往復運動させることにより前記本体枠が移動するよじ登りおもちゃにおいて、前記一の部分に設けられた２つの穴の間隔と前記他の部分に設けられた２つの穴の間隔が略同じであり、前記対のロープが前記本体枠を貫通する部分において、前記対のロープが直線状態にならないように、前記対のロープの張架方向と異なる方向に前記穴を穿設してよじ登りおもちゃを構成する。【選択図】図３
0003165454.tif 000002
【実用新案登録請求の範囲】
【請求項１】
一の部分に設けられた２つの穴と、前記一の部分に向かい合う他の部分に設けられた２つの穴を有する本体枠と、
一方は前記一の部分に設けられた２つの穴の一の穴と前記他の部分に設けられた２つの穴の一の穴を貫通し、他方で前記一の部分に設けられた２つの穴の他の穴と前記他の部分に設けられた２つの穴の他の穴を貫通し、かつ前記本体枠の外で張架される対のロープとを有し、
前記対のロープを互い違いにロープの張架方向に往復運動させることにより前記本体枠が移動するよじ登りおもちゃにおいて、
前記一の部分に設けられた２つの穴の間隔と前記他の部分に設けられた２つの穴の間隔が略同じであり、
前記対のロープが前記本体枠を貫通する部分において、前記対のロープが直線状態にならないように、前記対のロープの張架方向と異なる方向に前記穴が穿設されたことを特徴とするよじ登りおもちゃ。
【請求項２】
前記本体枠の内側に、
一の部分に設けられた２つの穴と、前記一の部分に向かい合う他の部分に設けられた２つの穴を有する内枠を有し、
前記内枠の前記一の部分に設けられた２つの穴の間隔と前記内枠の他の部分に設けられた２つの穴の間隔が略同じであり、かつ前記内枠の２つの穴の間隔は前記本体枠に設けられた２つの穴の間隔と異なり、
前記対のロープの一方は前記内枠の一の部分に設けられた２つの穴の一の穴と前記内枠の他の部分に設けられた２つの穴の一の穴を貫通し、前記対のロープの他方は前記内枠の一の部分に設けられた２つの穴の他の穴と前記内枠の他の部分に設けられた２つの穴の他の穴を貫通している請求項１に記載のよじ登りおもちゃ。
【請求項３】
前記内枠を複数有し、
前記複数の内枠はそれぞれ大きさが異なり、
最小の内枠が最も内側に配され、順に大きな内枠が小さな内枠の外側を覆う様に配された請求項２に記載のよじ登りおもちゃ。
【請求項４】
前記本体枠の外側に、
一の部分に設けられた２つの穴と、前記一の部分に向かい合う他の部分に設けられた２つの穴を有する外枠を有し、
前記外枠の前記一の部分に設けられた２つの穴の間隔と前記外枠の他の部分に設けられた２つの穴の間隔が略同じであり、かつ前記外枠の２つの穴の間隔は前記本体枠に設けられた２つの穴の間隔と異なり、
前記対のロープの一方は前記外枠の一の部分に設けられた２つの穴の一の穴と前記外枠の他の部分に設けられた２つの穴の一の穴を貫通し、前記対のロープの他方は前記外枠の一の部分に設けられた２つの穴の他の穴と前記外枠の他の部分に設けられた２つの穴の他の穴を貫通している請求項１ないし３のいずれか１項に記載のよじ登りおもちゃ。
【請求項５】
前記外枠を複数有し、  
前記複数の外枠はそれぞれ大きさが異なり、
最小の外枠が最も内側に配され、順に大きな外枠が小さな外枠の外側を覆う様に配された請求項４に記載のよじ登りおもちゃ。
【考案の詳細な説明】
【技術分野】
【０００１】
本考案は、よじ登りおもちゃに関する。
【背景技術】
【０００２】
従来、図１、図２に示すように、よじ登りというおもちゃが知られている（例えば、非特許文献１、非特許文献２）。これは図２に示すように、本体枠１にループ状の対のロープ３を貫通させる穴２を４箇所設け、進めたい上方向の２つの穴２の間隔を狭め、下側の２つの穴２の間隔を広くしたおもちゃである。
【０００３】
このよじ登りおもちゃの遊び方を説明する。まずループ状のロープ３の両端を両手で支えてロープ３に張力を与える。次に、両手を回動させて対になったロープ３を互い違いに往復運動させる。すると、本体枠１が２つの穴２の間隔が狭い側、すなわち図２の上方向に移動する。
【０００４】
従来のよじ登りおもちゃの場合、本体枠１を移動させる方向は２つの穴２の間隔が狭い側の一方向のみであった。２つの穴２の間隔が広い側への移動は、ロープ３の張力を緩めて本体枠１の自重を利用して移動させるか、外力を用いるしかなかった。また、それぞれの２つの穴２の間隔を同じにすると、対のロープ３を互い違いに往復運動させても本体枠１が移動せず、よじ登りおもちゃとしての機能を果たさなかった。
【０００５】
また、従来のよじ登りおもちゃの場合、本体枠１のみが移動するにすぎず、演出に乏しいという問題もあった。
【先行技術文献】
【非特許文献】
【０００６】
【非特許文献１】木内  勝著「工作図鑑」福音館書店、１９８８年３月５日発行、P６６〜６７
【非特許文献２】小黒三郎著「組み木の昇り人形」大月書店、１９９８年１１月２０日発行、P２２
【考案の概要】
【考案が解決しようとする課題】
【０００７】
本考案は上記の問題点に鑑み、本体枠が両方向に動くよじ登りおもちゃを提供する。
【課題を解決するための手段】
【０００８】
請求項１の考案は、一の部分に設けられた２つの穴と、前記一の部分に向かい合う他の部分に設けられた２つの穴を有する本体枠と、一方は前記一の部分に設けられた２つの穴の一の穴と前記他の部分に設けられた２つの穴の一の穴を貫通し、他方で前記一の部分に設けられた２つの穴の他の穴と前記他の部分に設けられた２つの穴の他の穴を貫通し、かつ前記本体枠の外で張架される対のロープとを有し、前記対のロープを互い違いにロープの張架方向に往復運動させることにより前記本体枠が移動するよじ登りおもちゃにおいて、前記一の部分に設けられた２つの穴の間隔と前記他の部分に設けられた２つの穴の間隔が略同じであり、前記対のロープが前記本体枠を貫通する部分において、前記対のロープが直線状態にならないように、前記対のロープの張架方向と異なる方向に前記穴が穿設されたことを特徴とするよじ登りおもちゃに係る。
【０００９】
請求項２の考案は、前記本体枠の内側に、一の部分に設けられた２つの穴と、前記一の部分に向かい合う他の部分に設けられた２つの穴を有する内枠を有し、前記内枠の前記一の部分に設けられた２つの穴の間隔と前記内枠の他の部分に設けられた２つの穴の間隔が略同じであり、かつ前記内枠の２つの穴の間隔は前記本体枠に設けられた２つの穴の間隔と異なり、前記対のロープの一方は前記内枠の一の部分に設けられた２つの穴の一の穴と前記内枠の他の部分に設けられた２つの穴の一の穴を貫通し、前記対のロープの他方は前記内枠の一の部分に設けられた２つの穴の他の穴と前記内枠の他の部分に設けられた２つの穴の他の穴を貫通している請求項１に記載のよじ登りおもちゃに係る。
【００１０】
請求項３の考案は、前記内枠を複数有し、前記複数の内枠はそれぞれ大きさが異なり、最小の内枠が最も内側に配され、順に大きな内枠が小さな内枠の外側を覆う様に配された請求項２に記載のよじ登りおもちゃに係る。
【００１１】
請求項４の考案は、前記本体枠の外側に、一の部分に設けられた２つの穴と、前記一の部分に向かい合う他の部分に設けられた２つの穴を有する外枠を有し、前記外枠の前記一の部分に設けられた２つの穴の間隔と前記外枠の他の部分に設けられた２つの穴の間隔が略同じであり、かつ前記外枠の２つの穴の間隔は前記本体枠に設けられた２つの穴の間隔と異なり、前記対のロープの一方は前記外枠の一の部分に設けられた２つの穴の一の穴と前記外枠の他の部分に設けられた２つの穴の一の穴を貫通し、前記対のロープの他方は前記外枠の一の部分に設けられた２つの穴の他の穴と前記外枠の他の部分に設けられた２つの穴の他の穴を貫通している請求項１ないし３のいずれか１項に記載のよじ登りおもちゃに係る。
【００１２】
請求項５の考案は、前記外枠を複数有し、前記複数の外枠はそれぞれ大きさが異なり、最小の外枠が最も内側に配され、順に大きな外枠が小さな外枠の外側を覆う様に配された請求項４に記載のよじ登りおもちゃに係る。
【考案の効果】
【００１３】
請求項１の考案によれば、よじ登りおもちゃにおいて、一の部分に設けられた２つの穴と、前記一の部分に向かい合う他の部分に設けられた２つの穴を有する本体枠と、一方は前記一の部分に設けられた２つの穴の一の穴と前記他の部分に設けられた２つの穴の一の穴を貫通し、他方で前記一の部分に設けられた２つの穴の他の穴と前記他の部分に設けられた２つの穴の他の穴を貫通し、かつ前記本体枠の外で張架される対のロープとを有し、前記対のロープを互い違いにロープの張架方向に往復運動させることにより前記本体枠が移動するよじ登りおもちゃにおいて、前記一の部分に設けられた２つの穴の間隔と前記他の部分に設けられた２つの穴の間隔が略同じであり、前記対のロープが前記本体枠を貫通する部分において、前記対のロープが直線状態にならないように、前記対のロープの張架方向と異なる方向に前記穴が穿設されたことを特徴とするため、本体枠が両方向に動くよじ登りおもちゃを提供することができる。
【００１４】
請求項２の考案によれば、請求項１のよじ登りおもちゃにおいて、前記本体枠の内側に、一の部分に設けられた２つの穴と、前記一の部分に向かい合う他の部分に設けられた２つの穴を有する内枠を有し、前期内枠の前記一の部分に設けられた２つの穴の間隔と前記内枠の他の部分に設けられた２つの穴の間隔が略同じであり、かつ前記内枠の２つの穴の間隔は前記本体枠に設けられた２つの穴の間隔と異なり、前記対のロープの一方は前記内枠の一の部分に設けられた２つの穴の一の穴と前記内枠の他の部分に設けられた２つの穴の一の穴を貫通し、前記対のロープの他方は前記内枠の一の部分に設けられた２つの穴の他の穴と前記内枠の他の部分に設けられた２つの穴の他の穴を貫通しているため、本体枠の移動とは異なる移動をする内枠を有するよじ登りおもちゃを提供することができる。
【００１５】
請求項３の考案によれば、請求項２のよじ登りおもちゃにおいて、前記内枠を複数有し、前記複数の内枠はそれぞれ大きさが異なり、最小の内枠が最も内側に配され、順に大きな内枠が小さな内枠の外側を覆う様に配されたため、多彩な演出をすることができるよじ登りおもちゃを提供することができる。
【００１６】
請求項４の考案によれば、請求項１ないし３のいずれか１項に記載のよじ登りおもちゃにおいて、前記本体枠の外側に、一の部分に設けられた２つの穴と、前記一の部分に向かい合う他の部分に設けられた２つの穴を有する外枠を有し、前記外枠の前記一の部分に設けられた２つの穴の間隔と前記外枠の他の部分に設けられた２つの穴の間隔が略同じであり、かつ前記外枠の２つの穴の間隔は前記本体枠に設けられた２つの穴の間隔と異なり、前記対のロープの一方は前記外枠の一の部分に設けられた２つの穴の一の穴と前記外枠の他の部分に設けられた２つの穴の一の穴を貫通し、前記対のロープの他方は前記外枠の一の部分に設けられた２つの穴の他の穴と前記外枠の他の部分に設けられた２つの穴の他の穴を貫通しているため、本体枠の移動とは異なる移動をする外枠を有するよじ登りおもちゃを提供することができる。
【００１７】
さらに請求項５の考案によれば、請求項４のよじ登りおもちゃにおいて、前記外枠を複数有し、前記複数の外枠はそれぞれ大きさが異なり、最小の外枠が最も内側に配され、順に大きな外枠が小さな外枠の外側を覆う様に配されたため、多彩な演出をすることができるよじ登りおもちゃを提供することができる。
【図面の簡単な説明】
【００１８】
【図１】従来のよじ登りおもちゃを示した図である。
【図２】従来のよじ登りおもちゃを示した図である。
【図３】請求項１，２に係るよじ登りおもちゃを示した図である。
【図４】請求項１，２に係るよじ登りおもちゃを示した図である。
【図５】請求項１，２に係るよじ登りおもちゃの一実施例を示した図である。
【図６】請求項３に係るよじ登りおもちゃを示した図である。
【図７】請求項４に係るよじ登りおもちゃを示した図である。
【図８】請求項４，５に係るよじ登りおもちゃの一実施例の分解図である。
【図９】請求項４，５に係るよじ登りおもちゃの一実施例を示した図である。
【考案を実施するための形態】
【００１９】
請求項１，２に係るよじ登りおもちゃ１０は、図３、４に示すように、本体枠４と、対のロープ３と、内枠６を有する。
【００２０】
図３，４に示すように、本体枠４は本体枠４の一の部分に設けられた２つの穴５と、前記一の部分に向かい合う他の部分に設けられた２つの穴５を有する。前記一の部分に設けられた２つの穴の間隔と、前記他の部分に設けられた２つの穴の間隔は略同じに設けられている。
【００２１】
本体枠４の一の部分、他の部分とは、本体枠４の一部分を指し、本体枠４を縦に切断した場合において本体枠４の半分以下になる部分を意味する。本体枠４には２つの穴５が向かい合って設けられており、合計４つの穴５が設けられる。この４つの穴５を頂点とする線を結ぶと、その線は略長方形となる。
【００２２】
本体枠４は枠状の部材で、後述するロープ３により空中に保持される。実施例では本体枠４は、円筒形のものを使用している。本体枠４の形状は特に限定されず、多角形の筒状、円柱形、球形、直方形、あるいは動物、人物、乗り物を模したもの等の様々な形状が使用できる。また、本体枠４の材質も特に限定されず、プラスチック等の樹脂、アルミニウムや鉄等の金属、木、竹、紙等が使用できる。また、本体枠４の大きさも大小様々な大きさを用いることができる。
【００２３】
図３，４に示すように対のロープ３は、一方は本体枠４の一の部分に設けられた２つの穴５の一の穴５と本体枠４の他の部分に設けられた２つの穴５の一の穴５を貫通し、他方で本体枠４の一の部分に設けられた２つの穴５の他の穴５と本体枠４の他の部分に設けられた２つの穴５の他の穴５を貫通している。
【００２４】
本体枠４の一の部分に設けられた２つの穴５の一の穴５と本体枠４の他の部分に設けられた２つの穴５の一の穴５を結ぶ線と、本体枠４の一の部分に設けられた２つの穴５の他の穴５と本体枠４の他の部分に設けられた２つの穴５の他の穴５を結ぶ線は略平行となる。すなわち、対のロープ３は後述する内枠６を設けない状態では略平行状態で本体枠４をそれぞれ貫通する。
【００２５】
ロープ３は紐、または糸状の部材である。実施例では対のロープ３はループ状に結ばれており、人手で直接操作する。対のロープ３の態様は特に限定されず、例えば対のロープ３の端をプーリー、クランク等の動作機構に係着させてもよい。また、ロープの材質、太さ、長さ等も特に限定されない。例えば、ロープ３にはたこ糸、組み紐等が使用できる。
【００２６】
図３，４に示すように内枠６は本体枠４の内側に対のロープ３によって保持されている。内枠６は、一の部分に設けられた２つの穴７と、前記一の部分に向かい合う他の部分に設けられた２つの穴７を有する。また、内枠６の前記一の部分に設けられた２つの穴７の間隔と前記他の部分に設けられた２つの穴７の間隔が略同じであり、かつ前記内枠６の２つの穴７の間隔は前記本体枠４に設けられた２つの穴５の間隔と異なる。
【００２７】
内枠６の一の部分、他の部分とは、前述した本体枠４の一の部分、他の部分と同様である。また、本体枠４同様に内枠６にも合計４つの穴７が設けられ、この４つの穴７を頂点とする線を結ぶと、その線は略長方形となる。
【００２８】
内枠６は枠状の部材である。実施例では四角柱の内枠６を使用しているが、本体枠４同様に形状、材質等は特に限定されない。また、内枠６は筒状で内部は空洞であるが、後述する内枠１５を有しない場合は無垢材を用いてもよい。
【００２９】
内枠６の２つの穴７の間隔は、本体枠４に設けられた２つの穴５の間隔の５〜２０％増し、または５〜２０％減が好ましい。これは、穴７の間隔と穴５の間隔の差が小さ過ぎると、本体枠４の内側で対のロープ３が略平行となり、内枠６が本体枠４と同時に移動してしまう場合が生じるためである。また、穴７の間隔と穴５の間隔の差が大き過ぎると、本体枠４の内側で対のロープ３が山形、あるいは谷形となり過ぎて、本体枠４の内側空間に対する内枠６の移動量が少なくなるからである。
【００３０】
対のロープ３の一方は内枠６の一の部分に設けられた２つの穴７の一の穴７と内枠６の他の部分に設けられた２つの穴７の一の穴７を貫通し、前記対のロープ３の他方は前記内枠６の一の部分に設けられた２つの穴７の他の穴７と前記内枠６の他の部分に設けられた２つの穴７の他の穴７を貫通している。つまり、内枠６の複数の穴７をそれぞれ対応するロープ３が貫通し内枠６を本体枠４の内側に保持しているのである。
【００３１】
内枠６の一の部分に設けられた２つの穴７の一の穴７と内枠６の他の部分に設けられた２つの穴７の一の穴７を結ぶ線と、内枠６の一の部分に設けられた２つの穴７の他の穴７と前記内枠６の他の部分に設けられた２つの穴７の他の穴７を結ぶ線は略平行となる。すなわち、対のロープ３は、内枠６の内側では略平行状態で内枠６をそれぞれ貫通する。
【００３２】
図４に示すように、本体枠４に設けられた穴５は、対のロープ３を貫通させたとき、対のロープ３が本体枠４を貫通する部分において、対のロープ３が直線状態にならないように、対のロープ３の張架方向と異なる方向に穴５が穿設されている。実施例では対のロープ３の張架方向から４５度程度の角度をつけて、本体枠４の中心方向に向かって穿設されている。この穿設される角度、方向は対のロープ３が本体枠４を貫通する部分において直線状態にならなければよく、角度、方向は特に限定されない。
【００３３】
穴５、７の径の大きさは対のロープ３の径より一回り程度大きな穴が好ましい。例えば、よじ登りおもちゃ１０を対のロープ３の長手方向を垂直にして保持して、対のロープ３の長手方向に張力を与えた際に、本体枠４、内枠６が自然に下降しない大きさ。さらには、前記対のロープ３の張力を緩めた際に、重力により本体枠４、内枠６が自然に下降する程度、あるいは人手により本体枠４、内枠６がスムーズに移動できる程度の穴５、７の大きさが好適である。
【００３４】
対のロープ３が直線状態にならないようにするには、本体枠４に所定の厚みが必要である。この厚みは特に限定されないが、本体枠４の加工のし易さ等の観点から本体枠４の穴５の径程度の厚みが好ましい。なお、図３では本体枠４の厚みを省略して記載している。
【００３５】
図５に示すように、本体枠４の対のロープ３に挟まれる部分に動物の頭部を模したもの８を２箇所設け、内枠６に動物のしっぽ部を模したもの９を設けることができる。この動作については後述する。
【００３６】
請求項３に係るよじ登りおもちゃ１０は図６に示すように、複数の内枠６，１５を有する。内枠６と内枠１５はそれぞれ大きさが異なり、内枠１５は内枠６より小さく形成されている。内枠１５は内枠６の内側に配され、内枠６は内枠１５を覆う様に配される。内枠１５は内枠６の穴７と同様に、一の部分に設けられた２つの穴１６と、前記一の部分に向かい合う他の部分に設けられた２つの穴１６を有する。穴１６の構成、ロープ３の貫通については内枠６と同様である。また、穴７の近傍で内枠６の外壁、内壁に、または穴１６の近傍で内枠１５の外壁に、図示しないストッパーを設けることによって内枠６，１５の移動量を規制、調節することができる。
【００３７】
請求項４に係るよじ登りおもちゃ１０は図７に示すように、本体枠４の外側に配される外枠１１を有する。外枠１１は内枠６の穴７と同様に、一の部分に設けられた２つの穴１２と、前記一の部分に向かい合う他の部分に設けられた２つの穴１２を有する。穴１２の構成、ロープ３の貫通については内枠６と同様である。
【００３８】
請求項５に係るよじ登りおもちゃ１０は図８，９に示すように、複数の外枠１１，１３を有する。外枠１１と外枠１３はそれぞれ大きさが異なり、外枠１３は外枠１１より大きく形成されている。外枠１３は外枠１１の外側に配され、外枠１３は外枠１１を覆う様に配される。外枠１３は内枠６の穴７と同様に、一の部分に設けられた２つの穴１４と、前記一の部分に向かい合う他の部分に設けられた２つの穴１４を有する。穴１４の構成、ロープ３の貫通については内枠６と同様である。また、穴１４の近傍で外枠１３の内壁に、または穴１２の近傍で外枠１１の外壁、内壁に、図示しないストッパーを設けることによって外枠１１、１３の移動量を規制することができる。なお、図８は請求項５に係るよじ登りおもちゃ１０の構成の理解を容易にするため、複数の外枠１１，１３を外した状態で表した分解図である。
【００３９】
図９に示すように、本体枠４の左右に動物の目玉を模したもの１７を２つずつ、外枠１１に動物の胴体を模したもの１１、外枠１３に動物のしっぽまたは角を模したもの１８を設けることができる。この動作については後述する。
【００４０】
これより、請求項１，２に係るよじ登りおもちゃ１０の動作、使用方法について述べる。図３，４に示す、ループ状になっている対のロープ３の左右の端を、それぞれ右手と左手で支えて張架させ、片方の手を回動させて対のロープ３を互い違いにロープ３の張架方向に往復運動させる。その際、回動させる手の反対側の手は動かさずに対のロープ３を滑らせる。
【００４１】
すると、対のロープ３のそれぞれのロープ３に張力の差が生じる。すなわち、本体枠４の一の部分に設けられた２つの穴５の一の穴５と本体枠４の他の部分に設けられた２つの穴５の一の穴５を貫通する一方のロープ３と、本体枠４の一の部分に設けられた２つの穴５の他の穴５と本体枠４の他の部分に設けられた２つの穴５の他の穴５を貫通する他方のロープ３に張力の差が生じる。この張力の差と、対のロープの張架方向と異なる方向に穿設された穴５により、一方のロープ３と本体枠４の穴５との摩擦力と、他方のロープ３と本体枠４の穴５との摩擦力が異なることとなる。
【００４２】
この摩擦力の差により、図４（a）（b）に示すように本体枠４が対のロープ３を回動させる手の側に移動するのである。そして、対のロープ３を回動させる手と、対のロープ３を滑らせる手を入れ替えれば、本体枠４はそれまでと反対の方向に移動する。なお、図４（a）は右側の手を回動させて左側の手のロープ３を滑らせ、図４（b）は左側の手を回動させて右側の手のロープ３を滑らせている。
【００４３】
次に、内枠６の動作について説明する。内枠６の穴７は、本体枠４の穴５のように対のロープ３の張架方向と異なる方向に穿設されているわけではない。したがって、前述のように対のロープ３を互い違いにロープ３の張架方向に往復運動させてもそれぞれの穴７とそれぞれのロープ３に生じる摩擦力は略等しい。すなわち、内枠６はそれ自体では移動しない。
【００４４】
図４（a）に示すように、本体枠４が右側に移動する場合、内枠６それ自体は移動しないため、本体枠４から見て左側に移動し、やがて本体枠４の内壁に押されて右側に移動する。また、図４（b）に示すように、本体枠４が左側に移動する場合、上記と反対に内枠６は本体枠４から見て右側に移動し、やがて本体枠４の内壁に押されて左側に移動する。
【００４５】
内枠６の実施例を図５に示す。図５（a）に示すように、本体枠４が右側に移動する場合、内枠６自体は移動しないため内枠６に設けられた動物のしっぽ９は本体枠４から見て左側に移動する。すると、本体枠４の右側に設けられた動物の頭８が露出し、内枠６に設けられた動物のしっぽ９とつながって見える。結果、本体枠４の移動にともないあたかも動物が移動するように見える。また、図５（b）に示すように、本体枠４が左側に移動する場合、今度は本体枠４の左側に設けられた動物の頭８が露出し、図５（a）で見えていた本体枠４の右側の動物の頭８は内枠６に設けられた動物のしっぽ９で隠される。そして、左側に動物が移動しているように見えるのである。
【００４６】
次に請求項３に係るよじ登りおもちゃ１０の動作、使用方法について述べる。ループ状になっている対のロープ３の扱い方、本体枠４、内枠６の動作は前述の通りである。図６に示す内枠１５は内枠６のさらに内側に配されている。図６（a）に示すように本体枠４が右側に移動するとき、内枠６，１５それ自体は移動しないため、本体枠４から見て左側に移動し、やがて内枠６は本体枠４の左側の内壁に、内枠１５は内枠６の左側の内壁に押されて移動する。また、図６（b）に示すように、本体枠４が左側に移動する場合、上記と反対に内枠１５は本体枠４から見て右側に移動し、やがて内枠６の右側の内壁に押されて左側に移動する。
【００４７】
内枠１５の実施例として例えば、前述の図５に示す実施例において、内枠１５に動物の服等を模したものを設けることができる。
【００４８】
次に請求項４，５に係るよじ登りおもちゃ１０の動作、使用方法について述べる。ループ状になっている対のロープ３の扱い方、本体枠４の動作は前述の通りである。図９に示す外枠１３は外枠１１のさらに外側に配されている。図９（a）に示すように本体枠４が右側に移動するとき、外枠１１，１３それ自体は移動しないため、本体枠４から見て左側に移動し、やがて外枠１１，１３は本体枠４の右側の外壁に押されて移動する。また、図９（b）に示すように、本体枠４が左側に移動する場合、上記と反対に外枠１１，１３は本体枠４から見て右側に移動し、やがて本体枠４の左側の外壁に押されて左側に移動する。
【００４９】
外枠１１，１３の実施例を、図９を用いて説明する。図９（a）に示すように、本体枠４が右側に移動する場合、外枠１１，１３自体は移動しないため外枠１１，１３に設けられた動物の胴体１１としっぽ（角）１８は本体枠４から見て左側に移動する。すると、本体枠４の右側に設けられた動物の目玉１７が露出し、外枠１１に設けられた動物の胴体１１、及び外枠１３に設けられたしっぽ（角）１８とつながって見える。結果、本体枠４の移動にともないあたかも動物が移動するように見える。また、図９（b）に示すように、本体枠４が左側に移動する場合、今度は本体枠４の左側に設けられた動物の目玉１７が露出し、図９（a）で見えていた本体枠４の右側の目玉１７は外枠１１に設けられた動物の胴体１１、及び外枠１３に設けられたしっぽ（角）１８で隠される。そして、左側に動物が移動しているように見えるのである。
【００５０】
本体枠４、内枠６、１５、外枠１１，１３に設けるものは動物を模したものに限られず、人物、乗り物等様々のものをモチーフとすることができる。例えば、上述の動物の頭８、動物のしっぽ９、動物の胴体１１、動物の目玉１７、動物のしっぽ（角）１８を、自動車のボンネット（トランク）とボディ、ロケットの頭部と胴体、列車と風景という具合に置き換えれば、様々な演出が可能となり、多彩なよじ登りおもちゃを提供できる。
【００５１】
さらには、前述の図示しないストッパーを設けることにより、内枠６、１５、外枠１１，１３の移動量を規制、調節することができ、多様な演出が可能となる。
【００５２】
なお、本考案は、上述した実施例に限定されるものではなく、考案の趣旨を逸脱しない範囲において構成の一部を適宜に変更して実施することができる。
【符号の説明】
【００５３】
１    従来のよじ登りおもちゃの本体枠
２    従来のよじ登りおもちゃの穴
３    ロープ
４    本体枠
５    穴
６    内枠
７    穴
８    動物の頭
９    動物のしっぽ
１０    よじ登りおもちゃ
１１    外枠（動物の胴体）
１２    穴
１３    外枠
１４    穴
１５    内枠
１６    穴
１７    動物の目玉
１８    動物のしっぽ（角）
【図１】
0003165454.tif 000003
【図２】
0003165454.tif 000004
【図３】
0003165454.tif 000005
【図４】
0003165454.tif 000006
【図５】
0003165454.tif 000007
【図６】
0003165454.tif 000008
【図７】
0003165454.tif 000009
【図８】
0003165454.tif 000010
【図９】
0003165454.tif 000011